(57)【要約】【課題】丸編機のみを用いて複数の指袋を有する靴下を編成可能とした靴下の編成方法及びその編成方法により編成した靴下を提供すること。【解決手段】丸編機を用いた、複数の指袋を有する靴下の編成方法であって、丸編機のシリンダーの全周部分の針又は半周部分の針を用いて、靴下における履き口部分、身部分、踵部分、胴部分を連続して編成した後に、丸編機のシリンダーの半周部分の針の往復回転により所望する数の指袋を編成することを特徴とし、前記指袋の編成は、任意の連続した第１の針群を用いた往復回転で、端に位置する第１の指袋を編成し、その後は、直前に使用した針群中の連続した針にこれに連続する未使用の針群を加えた針群の往復回転により所望する数の指袋を編成していくことを特徴とし、これにより、複数の指袋を有する靴下を丸編機により連続編成可能とした。【選択図】図３
2007039815.tif 000002
【特許請求の範囲】
【請求項１】
丸編機を用いた、複数の指袋を有する靴下の編成方法であって、
丸編機のシリンダーの全周部分の針又は半周部分の針を用いて、靴下における履き口部分、身部分、踵部分、胴部分を連続して編成した後に、
丸編機のシリンダーの半周部分の針の往復回転により所望する数の指袋を編成することを特徴とし、
前記指袋の編成は、任意の連続した第１の針群を用いた往復回転で、端に位置する第１の指袋を編成し、
その後は、直前に使用した針群中の連続した針にこれに連続する未使用の針群を加えた針群の往復回転により所望する数の指袋を編成していくことを特徴とする靴下の編成方法。
【請求項２】
前記指袋の編成に際しては、徐々に使用する針の数を減らしながら一面側の指袋の編成を行い、その後、徐々に使用する針の数を増やしながら他面側の指袋の編成を行うことを特徴とする請求項１に記載の靴下の編成方法。
【請求項３】
前記指袋の編成に際しては、徐々に使用する針の数を減らしながら本体部一面側の編成を行った後に、徐々に使用する針の数を増やしながら指先部分一面側の編成を行い、その後、徐々に使用する針の数を減らしながら指先部分他面側の編成を行い、更に、徐々に使用する針の数を増やしながら本体部他面側の編成を行うことを特徴とする請求項１に記載の靴下の編成方法。
【請求項４】
前記指袋が５本であることを特徴とする請求項１乃至請求項３に記載の靴下の編成方法。
【請求項５】
丸編機の全周部分の針又は半周部分の針を用いて、靴下における履き口部分（２）、身部分（３）、踵部分（４）、胴部分（５）を連続して編成し、
それに続いて、丸編機の半周部分の針の往復回転により所望する数の指袋（６）を編成してなり、
前記指袋（６）の編成は、任意の連続した第１の針群を用いた往復回転で、端に位置する第１の指袋を編成し、
その後は、直前に使用した針群中の連続した針及びこれに連続する未使用の針群の往復回転により所望する数の指袋を編成して成ることを特徴とする靴下。
【発明の詳細な説明】
【技術分野】
【０００１】
本発明は靴下の編成方法及びそれにより編成された靴下に係り、より詳しくは、丸編機を用いて、複数の指袋を有する靴下を連続して編成する方法及びこの方法によって編成された靴下に関する。
【背景技術】
【０００２】
従来から、靴下の中には複数の指袋を有するものがあり、これらの靴下としては、例えば、親指用の指袋とそれ以外の指用の指袋を有する足袋や、５本指のそれぞれを別個に挿入可能な様に５個の指袋を備えたものがある。
【０００３】
そして、従来は、これらの複数の指袋を有する靴下を丸編機によって編成する場合には、指袋部分を除いた部分、即ち、履き口部分、身部分、踵部分、胴部分により構成される筒状の靴下半製品を丸編機で編成し、それとともに、横編機によって指袋を含む爪先部分を編成し、その後に、靴下半製品と爪先部分を互いに縫い合わせることによって行っていた。
【０００４】
また、横編機で爪先部分を編成する場合には、まず親指の指先部分から編み出して指袋を編成し、次に、人差し指、中指、薬指の各順に指袋を編成した後に、親指から薬指までを一つの筒状体として四本胴を編成し、更にその後、小指を編成した後に、小指と前記四本胴を一つにして五本胴を編成する方法が一般的である。
【特許文献１】特開２００３−２７３５７号公報
【特許文献２】特開２０００−２３９９５０号公報
【発明の開示】
【発明が解決しようとする課題】
【０００５】
このように、複数の指袋を有する靴下を編成する場合において、爪先部分のみを横編機で編成し、その他の部分を丸編機で編成する方法を採用した場合には、複数種類の編機を用いるとともに、最終的に爪先部分とその他の部分とを縫い合わせる作業が必要であるため、作業が煩雑にならざるを得ない。
【０００６】
即ち、爪先部分とその他の部分とを縫い合せるに際しては、筒状の靴下半製品を横編機に付設されるポイント針へリンキングし、各指ごとの網目の増減で所望する形状の指袋を編成するとともに編糸の終端を引抜き絞って結止する、という縫製行程を必要とするとともに、指袋の先端部に始端と終端が有り着用時に違和感があるという問題点が考えられる。
【０００７】
また、従来の横編機を用いた指先部分の編成方法では、指の付け根部分と指先の先端部分までの編成コースが同じであるために、指袋に指を挿入するのが極めて大変であり煩雑にならざるを得なかった。
【０００８】
そこで、本発明は、丸編機のみを用いて複数の指袋を有する靴下を編成可能とした靴下の編成方法、及びその編成方法により編成した靴下を提供することを課題としている。
【課題を解決するための手段】
【０００９】
本発明の靴下の編成方法は、丸編機を用いた、複数の指袋を有する靴下の編成方法であって、編機のシリンダーの全周部分の針又は半周部分の針を用いて、靴下における履き口部分、身部分、踵部分、胴部分を連続して編成した後に、丸編機のシリンダーの半周部分の針の往復回転により所望する数の指袋を編成することを特徴とし、
前記指袋の編成は、任意の連続した第１の針群を用いた往復回転で、端に位置する第１の指袋を編成し、その後は、直前に使用した針群中の連続した針及びこれに連続する未使用の針群の往復回転により所望する数の指袋を編成していくことを特徴としている。
【００１０】
また、本発明の靴下は、丸編機の全周部分の針又は半周部分の針を用いて、靴下における履き口部分、身部分、踵部分、胴部分を連続して編成し、
それに続いて、丸編機の半周部分の針の往復回転により所望する数の指袋を編成してなり、
前記指袋の編成は、任意の連続した第１の針群を用いた往復回転で、端に位置する第１の指袋を編成し、
その後は、直前に使用した針群中の連続した針及びこれに連続する未使用の針群の往復回転により所望する数の指袋を編成して成ることを特徴としている。
【発明の効果】
【００１１】
本発明では、指袋を編成するに際して、丸編機の半周部分の任意の部分の針の往復回転により所望する数の指袋を編成することを特徴とし、まず、丸編機の半周部分の任意の連続した第１の針群を用いた往復回転で、端に位置する第１の指袋を編成し、その後は、直前に使用した針群中の連続した針及びこれに連続する未使用の針群の往復回転により所望する数の指袋を編成していくことを特徴としている。
【００１２】
このように、本発明では、指袋の編成に際しては、丸編機の半周部分の任意の部分の針の往復回転により編成するとともに、互いに隣り合う指袋を、使用する針の中の一部分を重複して使用して編成しているため、半周部分の針のみで所望する数の指袋を編成することができ、従って、丸編機のみの連続運転によって複数の指袋を有する靴下を編成することができる。
【発明を実施するための最良の形態】
【００１３】
本発明では、丸編機を用いて、この丸編機のシリンダーの全周の針を用いて履き口部分及び身部分を連続して編成し、それに続いて、丸編機のシリンダーの半周部分の針の往復回転により踵部分を編成し、更にそれに続いて、この丸編機の全周の針を用いて胴部分の編成を行い、その後に、丸編機のシリンダーの半周部分の任意の連続した針を用いて、この針の往復回転により所望する数の指袋を編成する。
【００１４】
そして、指袋の編成は、まず、丸編機の半周部分の任意の部分の針の往復回転により、端に位置する指袋の編成を行う。
【００１５】
そしてその後は、直前に使用した針群中の連続した任意の数の針及びこれに連続する未使用の針群を用いて、これらの針の往復回転により、前記端に位置する指袋に連続する指袋を編成していく。
【００１６】
ここで、指袋の編成に際しては、徐々に使用する針の数を減らしながら一面側の指袋の編成を行い、その後、徐々に使用する針の数を増やしながら他面側の指袋の編成を行うとよく、更にその他、徐々に使用する針の数を減らしながら本体部一面側の編成を行った後に、徐々に使用する針の数を増やしながら指先部分一面側の編成を行い、その後、徐々に使用する針の数を減らしながら指先部分他面側の編成を行い、更に、徐々に使用する針の数を増やしながら本体部他面側の編成を行うとよく、これにより、指袋を立体的にして指の挿入を容易にすることが可能となる。
【実施例１】
【００１７】
本発明の靴下の編成方法の実施例（以下単に「編成方法」という。）について図面を参照して説明すると、図１は本実施例の編成方法により編成される靴下の斜視図であり、図において１が靴下であり、左足用の靴下を示している。
【００１８】
そして、図に示すように、本実施例で編成する靴下１は、足を挿入する履き口部分２と、この履き口部分２に連続した、足首部分及びその近傍が収容される身部分３と、身部３に連続した踵部分４と、踵部分４に連続した、足底部分５ｂ及び甲側胴部分５ａを具備した胴部分５を有するとともに、胴部分５の先端には、親指、人差し指、中指、薬指、及び小指をそれぞれ挿入するための５本の指袋６Ａ、６Ｂ、６Ｃ、６Ｄ、６Ｅより成る指袋部分６が備えられた形態としている。なお、右足用の靴下も構成は同様であり、図１に示す左足用の靴下と対象形状となっているために、以下においては左足用の靴下を編成する場合について説明する。
【００１９】
次に、図２は、本実施例の編成方法を実施するための用いる丸編機７を説明するための図であり、図２においてはシリンダー８及びそのシリンダー８の周囲に配設された針を示している。
【００２０】
即ち、本実施例で使用する丸編機では、平面視野で円形としたシリンダー８の周囲全域に等間隔で９６本（０番針〜９５番針）の縫い針が備えられ、シリンダー８の円周側に給糸するとともに、前記針を上下動させ、これにより、供給された糸を編み込んで行くことにより靴下を編成可能としている。なお、本実施例では、イタリアのサンジャコモ社製の、通称Ｘマシーンを使用しており、このＸマシーンは市販されているものであるため、その詳細な構造、作用、使用方法等は省略する。
【００２１】
次に、この丸編機を用いた本実施例の編成方法を具体的に説明すると、本実施例の編成方法では、まず、全周部分の針を用いて、履き口部分２とこの履き口部分２に連続した身部分３を編成する。
【００２２】
そして、その後に、半周部分の針の往復回転により、踵部分４を編成する。即ち、周知のように、丸編機を用いて、半周部分の針の往復回転を行うと、踵部分４のような突出した部分を編成することができる。そのため、本実施例の編成方法においても、身部分３の編成が終了した後に、半周部分の針の往復回転により踵部分４を編成する。
【００２３】
次に、踵部分の編成が終了した後に、全周部分の針を用いて、胴部分５の編成を行い、その後に指袋部分６の編成を行う。なお、履き口部分２から胴部分５までの編成方法は、丸編機を用いた靴下の従来の編成方法と何ら変わりはなく周知の方法である。
【００２４】
次に、図２及び図３を参照して指袋部分６の編成について説明すると、図３は指袋の編成を行う際に使用する針を説明するための図であり、本実施例の編成方法においては、シリンダー８の半周部分の針、即ち、２４番針から７１番針の４８本の針を用いて、この針間の往復回転により５本の指袋を編成する。まず、図２における２４番針から４８番針までの２５本からなる第１の針群９ａを用いて、この針群９ａ部分の往復回転により親指用の指袋６Ａを編成する。
【００２５】
この編成について詳細に説明すると、本実施例においては、まず、親指用指袋の本体部分の一方側の面を構成する一方側本体部分６Ａ１を編成し、それに続いて指先部分６Ａ２、６Ａ３を編成し、その後に、親指用指袋の本体部分の他方側の面を構成する他方側本体部分６Ａ４を編成し、これにより親指用指袋６Ａの編成を完了する。
【００２６】
即ち、まず、２４番針から４８番針の２５本の針を用いて、指袋の長さが所望する長さになるまで糸を編み込んで一方側本体部６Ａ１の編成を行う。そしてそれとともに、編み込んでいく際には、使用する針を徐々に減らしていき、これにより、本体部が先端に向かって細くなるようにしていく。
【００２７】
次に、一方側本体部６Ａ１を編成した後に、所定の長さになるまで、徐々に使用する針を増やしていって糸を編み込んでいき、これにより一方側指先部６Ａ２を編成し、その後、一方側指先部６Ａ２の編み込み数と同数だけ、徐々に使用する針を減らしていき、これにより、他方側指先部６Ａ３を編成し、指先部の編成が終了する。
【００２８】
そして、その後に、一方側本体部６Ａ１の編み込み数と同数だけ、徐々に使用する針を増やしていきながら糸を編み込んでいき、これにより、他方側本体部６Ａ４を編成し、親指用の指袋６Ａの編成が終了する。
【００２９】
次に、親指用の指袋６Ａの編成に続いて、人差し指用の指袋６Ｂの編成を行う。即ち、本実施例において人差し指用の指袋６Ｂの編成は、親指用指袋６Ａの編成に使用した針群９ａ中の３３番針から４８番針に、未使用の４９番針から５４番針を加えた２２本からなる第２の針群９ｂを用いて行う。そして、前記親指用指袋６Ａの編成と同様にして、使用する針を徐々に減らしていきながら糸を編み込んで一方側本体部６Ｂ１を編成し、それに続いて、使用する針を徐々に増やしていきながら一方側指先部６Ｂ２を編成し、その後、使用する針を徐々に減らしていきながら、一方側指先部６Ｂ２と同数だけの糸の編み込みを行って他方側指先部６Ｂ３を編成することで指先部の編成を行い、その後、一方側本体部６Ｂ１の編み込み数と同数だけ、徐々に使用する針を増やしていきながら糸を編み込んでいき、これにより、他方側本体部６Ｂ４を編成することによって本体部の編成を行って人差し指用指袋６Ｂの編成を終了する。
【００３０】
そして、次に、人差し指用の指袋６Ｂの編成に続いて、中指用の指袋６Ｃの編成を行う。即ち、本実施例において中指用の指袋６Ｃの編成は、人差し指用指袋６Ｂの編成に使用した針群９ｂの中の４２番針から５４番針に、未使用の５５番針から６０番針を加えた１９本からなる第３の針群９ｃ用いて行う。そして、前記と同様にして、使用する針を徐々に減らしていきながら糸を編み込んで一方側本体部６Ｃ１を編成し、それに続いて、使用する針を徐々に増やしていきながら一方側指先部６Ｃ２を編成し、その後、使用する針を徐々に減らしていきながら、一方側指先部６Ｃ２と同数だけの糸の編み込みを行って他方側指先部６Ｃ３を編成することで指先部の編成を行い、その後、一方側本体部６Ｃ１の編み込み数と同数だけ、徐々に使用する針を増やしていきながら糸を編み込んでいき、これにより、他方側本体部６Ｃ４を編成することによって本体部の編成を行って中指用指袋６Ｃの編成を終了する。
【００３１】
そして、次に、中指用の指袋６Ｃの編成に続いて、薬指用の指袋６Ｄの編成を行う。即ち、本実施例において薬指用の指袋６Ｄの編成は、中指用指袋６Ｃの編成に使用した針群９ｃの中の４８番針から６０番針に、未使用の６１番針から６５番針を加えた１８本の針からなる第４の針群９ｄ用いて行う。そして、使用する針を徐々に減らしていきながら糸を編み込んで一方側本体部６Ｄ１を編成し、その後、一方側本体部６Ｄ１の編み込み数と同数だけ、徐々に使用する針を増やしていきながら糸を編み込んでいき、これにより、他方側本体部６Ｄ２を編成することによって本体部の編成を行って薬指用指袋の編成を終了する。
【００３２】
そして、最後に、薬指用の指袋６Ｄの編成に続いて、小指用の指袋６Ｅの編成を行う。即ち、本実施例において小指用の指袋６Ｅの編成は、薬指用指袋６Ｄの編成に使用した針群９ｄの中の５５番針から６５番針に、未使用６６番針から７１番針を加えた１７本の針からなる第５の針群９ｅ用いて行う。そして、使用する針を徐々に減らしていきながら糸を編み込んで一方側本体部６Ｅ１を編成し、その後、一方側本体部６Ｅ１の編み込み数と同数だけ、徐々に使用する針を増やしていきながら糸を編み込んでいき、これにより、他方側本体部６Ｅ２を編成することによって本体部の編成を行って小指用指袋６Ｅの編成を終了する。図４及び図５は、このようにして編成した指袋部分近傍を示した図であり、図４は靴下の上方側から示した図であり、図５は図４における右方向から示した図である。
【００３３】
このように、本実施例の編成方法では、直前に使用した針群中の一部にこれに連続する未使用の針を加えた針群を用いて、人差し指から小指までの編成を行うため、半周部分の針によって５本指分の指袋を編成することが可能である。
【００３４】
例えば２４番針から４８番針を用いて親指用指袋を編成した後に、４９番針以降の針を用いて次の指袋を編成し、その後も、直前に使用した針に連続する未使用の針のみを用いて指袋を編成した場合には、半周部分の針のみで５本の指袋を編成することは不可能である。即ち、半周部分の針（４８本）のみを使用して、かつ使用する針を重複させないで５本分の指袋を編成した場合には、それぞれの指袋が小さくなってしまい指を挿入することが不可能になってしまう。更に、それぞれの指袋が小さくならないように、全周部分の針を用いて指袋を編成した場合には、編成した指袋は、円周上に配置されてしまい実用に耐えない靴下となってしまう。
【００３５】
しかしながら、この点、本実施例の編成方法では、親指用指袋の編成に使用した針群の中の一部とこれに連続する未使用の針を用いながら人差し指から小指までの編成を行うために、半周部分の針によって５本指分の指袋を編成することが可能であり、実用価値のある、横に並んだ指袋を得ることができる。
【００３６】
また、人差し指から小指までの編成に際して直前に使用した針群の一部を使用することにより、指袋を立体的にすることが可能となり、指を挿入しやすい指袋にすることができる。
【００３７】
さらにこのとき、本実施例の靴下の編成方法では、指袋の編成に際して、使用する針を徐々に減らし、あるいは徐々に増やしており、即ち、目減らし及び目増やしを行っているため、爪先に向かうに従って細くなる指袋にすることができるため、これにより、更に指を挿入しやすいものにできる。
【００３８】
なお、ここで、本実施例における前記目増し、目減らしの具体的な方法について説明すると、まず、親指用指袋の編成に際して、本体部については、目減らし及び目増やしをそれぞれ７針分行った。即ち、親指用指袋６Ａにおける一方側本体部分６Ａ１の編成の場合は、第１の針群９ａのすべてを用いて糸の編み込みを始め、その後徐々に使用する針を減らしていき、一方側指先部６Ａ２の編成を、第１の針群９ａの両側からそれぞれ７針減らした位置から始めるようにした。
【００３９】
そして、使用する針を徐々に増やしながら一方側指先部６Ａ２の編成を始め、他方側指先部６Ａ３の編成を、一方側指先部６Ａ２の編成を始めた針群の両側から数えて３針増やした位置から始めた。
【００４０】
更に、使用する針を徐々に減らしながら他方側指先部６Ａ３の編成を始め、他方側本体部６Ａ４の編成を、他方側指先部６Ａ３の編成を始めた針群の両側から数えて３針減らした位置から始め、使用する針を徐々に増やしながらこの他方側本体部６Ａ４の編成を始め、他方側本体部６Ａ４の編成を終了した時点で第１の針群９ａのすべてを使用している状態にした。
【００４１】
同様にして、人差し指用指袋の編成に際しては、本体部については、目減らし及び目増やしはそれぞれ７針分行い、指先部分の目増やし及び目減らしは、それぞれ２針分を行った。更に、中指用指袋の編成に際しては、本体部については、目減らし及び目増やしは７針分行い、指先部分の目増やし及び目減らしは、それぞれ１針分を行った。そして、小指、薬指の編成に際しては、目減らし及び目増やしは７針分行った。但し、この目減らし及び目増やしの数は特に限定されず、編成する靴下の大きさ等に応じて任意に変更可能である。
【００４２】
なお、目増やし、目減らしを行う際には、糸を一編みするごとに針を増やしあるいは減らす必要は無く、糸を数回から５、６回編み込んだ後に使用する針を増やし、あるいは減らす方法を採用してもよく、この方法によれば、限られた針数で効率よく指袋を編成することが可能である。そして、本実施例においては、親指用指袋、人差し指用指袋、中指用指袋、薬指用指袋、小指用指袋における一方側本体部及び他方側本体部の編成に際しては、原則として、６回糸を編み込んだ後に使用する針を１針、減らしあるいは増やす方法を採用し、また、親指用指袋、人差し指用指袋、中指用指袋における一方側及び他方側指先部の編成に際しては、２回糸を編み込んだ後に、使用する針を１針、減らしあるいは増やす方法を採用した。
【００４３】
また、前述の実施例では、５本の指袋を有する靴下の編成を例にして説明したが、本発明の靴下の編成方法では、必ずしも５本の指袋を有する靴下の編成には限定されず、複数本の指袋を有する靴下であればいずれの靴下の編成にも適用される。従って、親指用の指袋とそれ以外の指用の指袋を有する足袋の様な靴下の編成方法であってもよい。
【００４４】
なお、前述の説明では、左足用の靴下の編成について説明したが、右足用の靴下の場合には、親指用指袋の編成に際しては、第４７番針から第７１番針の２５本の針を用い、人差し指用指袋の編成では第４１番針から第６２番針の２２本の針を用い、中指用の指袋の編成では第３４番針から第５２番針の１９本の針を用い、薬指用の指袋では、第２９番針から第４６番針の１８本の針を用い、小指用の指袋の編成では、第２３番針から第３９番針の１７本の針を用いて行い、目増し及び目減らしの具体的な方法は前記左足用の靴下の場合と同様である。
【００４５】
また、前述したように、本発明は指袋の編成方法に特徴があり、その他の部分の編成等に関しては従来から行われている方法と同様である。
【産業上の利用可能性】
【００４６】
本発明は、複数の指袋を有する靴下の編成に際して、指袋の編成を、丸編機の半周部分の任意の部分の針の往復回転により行うとともに、互いに隣り合う指袋の編成を、使用する針群の一部分を重複して行い、これにより、複数の指袋を有する靴下を丸編機によって連続して編成可能としているため、指袋を有する靴下の全般に適用可能である。
【図面の簡単な説明】
【００４７】
【図１】本発明の靴下の実施例を示す斜視図である。
【図２】本発明の靴下の編成方法に使用する丸編機を説明するための図である。
【図３】本発明の靴下の編成方法における目減らし、目増やしを説明するための図である。
【図４】本発明の靴下の実施例における指袋近傍の平面図である。
【図５】本発明の靴下の実施例における指袋近傍の側面図である。
【符号の説明】
【００４８】
１    靴下
２    履き口部分
３    身部分
４    踵部分
５    胴部分
５ａ    甲側胴部分
５ｂ    足底部分
６    指先部分
６Ａ    親指用指袋
６Ｂ    人差し指用指袋
６Ｃ    中指用指袋
６Ｄ    薬指用指袋
６Ｅ    小指用指袋
７    丸編機
８    シリンダー
９ａ    第１の針群
９ｂ    第２の針群
９ｃ    第３の針群
９ｄ    第４の針群
９ｅ    第５の針群
【図１】
2007039815.tif 000003
【図２】
2007039815.tif 000004
【図３】
2007039815.tif 000005
【図４】
2007039815.tif 000006
【図５】
2007039815.tif 000007